(57)【特許請求の範囲】
【請求項１】
カラーコピー器の為のグラフィックシステムに於て、
オブジェクトイメージデータの入力と、前記オブジェクトイメージデータを選択し編集して編集されたイメージデータを生成する為にユーザが制御できる入力手段に接続されたホストプロセッサ手段と、
前記の編集されたイメージデータを描写してイメージ信号を出力する為の実時間プロセッサー手段と、
前記イメージ信号によって表示されたイメージをプリントする為に前記システムと前記コピー器とを相互に接続する交信手段と、
ビデオ表示手段とを有し、
前記実時間プロセッサ手段が前記ビデオ表示手段を駆動する為にビデオイメージ信号を生成し、
前記ビデオ表示手段は前記ビデオイメージ信号を受信してそれに対応するビデオイメージを表示するようになっていることを特徴とするカラーレーザコピー器の為の表示グラフィックシステム。
【請求項２】
更に前記システムがカラー変換手段を有しており、
前記カラー変換手段は、前記実時間プロセッサー手段に接続され、前記描写され編集されたイメージデータを受信し、前記描写され編集されたイメージデータから前記イメージ信号を決定するようになっていることを特徴とする請求項１に記載のカラーレーザコピー器の為の表示グラフィックシステム。
【請求項３】
前記イメージデータが二次元多項式フラグメントに基づいていることを特徴とする請求項１に記載のカラーレーザコピー器の為の表示グラフィックシステム。
【請求項４】
前記カラー変換手段が前記イメージ信号の各々のカラー構成要素の為のカラー混合及び生成の装置を有することを特徴とする請求項２に記載のカラーレーザコピー器の為の表示グラフィックシステム。
【請求項５】
前記カラー変換手段が前記ホストプロセッサ手段に接続し設定され、かつ前記カラー変換手段で使われる制御情報が前記ホストプロセッサ手段によって可変であることを特徴とする請求項４に記載のカラーレーザコピー器の為の表示グラフィックシステム。
【請求項６】
前記カラー変換手段が複数のカラー記憶領域を持っているメモリ装置を有することを特徴とする請求項４に記載のカラーレーザコピー器の為の表示グラフィックシステム。
【請求項７】
前記メモリ装置が更に前記ホストプロセッサ手段に接続されている１個のポートを持っているデュアルポートメモリー装置を包含しており、カラー記憶領域の内容が前記ホストプロセッサ手段によって可変であることを特徴とする請求項６に記載のカラーレーザコピー器の為の表示グラフィックシステム。
【請求項８】
前記ビデオイメージ信号が前記コピー器によってプリントされるイメージの一部分だけを包含していることを特徴とする請求項１に記載のカラーレーザコピー器の為の表示グラフィックシステム。
【請求項９】
前記入力手段が複数のメモリ記憶格納手段を有しており、
前記メモリ記憶格納手段は取り外し可能なメモリ記憶装置を受け取るようになっていることを特徴とする請求項１に記載のカラーレーザコピー器の為の表示グラフィックシステム。
【請求項１０】
前記取り外し可能なメモリ記憶装置が不揮発性メモリカードの形式をとることを特徴とする請求項９に記載のカラーレーザコピー器の為の表示グラフィックシステム。
【請求項１１】
前記メモリ記憶装置が、前記表示グラフィックシステムの操作中に使用されるシステムコードを有することを特徴とする請求項９に記載のカラーレーザコピー器の為の表示グラフィックシステム。
【請求項１２】
前記入力手段が更に前記取り外し可能なメモリ記憶装置が存在するかしないかを決定する為の検出手段を有することを特徴とする請求項９に記載のカラーレーザコピー器の為の表示グラフィックシステム。
【請求項１３】
更にタッチパネルを有し、
前記タッチパネルはユーザの入力に対して感知可能で、前記入力の位置を前記ホストプロセッサ手段に伝達するようになっていることを特徴とする請求項１に記載のカラーレーザコピー器の為の表示グラフィックシステム。
【発明の詳細な説明】
【０００１】
【関連出願の記述】
本発明は本出願人より出願されている下記の関連出願に於て開示されている技術の特定分野の応用である：
（ｉ）出願日１９９２年４月２９日のオーストラリア特許出願番号ＰＬ２１４７をもとに優先権を主張しており、発明の名称が「実時間オブジェクトベースのグラフィックシステム」である出願と、
（ｉｉ）出願日１９９２年４月２９日のオーストラリア特許出願番号ＰＬ２１４８をもとに優先権を主張しており、発明の名称が「オブジェクトベースのラスター画像充填の方法及び装置」である出願と、
（ｉｉｉ  ）出願日１９９２年４月２９日のオーストラリア特許出願番号ＰＬ２１５３をもとに優先権を主張しており、発明の名称が「オブジェクトベースのラスター画像における透過供給の方法及び装置」である出願と、
（ｉｖ）出願日１９９２年４月２９日のオーストラリア特許出願番号ＰＬ２１５６をもとに優先権を主張しており、発明の名称が「グラフィックシステムのエッヂ計算」、及び出願日１９９２年４月２９日のオーストラリア特許出願番号ＰＬ２１４５をもとに優先権を主張しており、発明の名称が「グラフィックシステムのオブジェクト分類」である出願と、（ｖ）出願日１９９２年４月２９日のオーストラリア特許出願番号ＰＬ２１４２をもとに優先権を主張しており、発明の名称が「ＲＴＯグラフィック用システム用プリプロセッシングパイプライン」である出願と、
（ｖｉ）出願日１９９２年４月２９日のオーストラリア特許出願番号ＰＬ２１５０をもとに優先権を主張しており、発明の名称が「二次元多項式フラグメント使用のオブジェクトベースグラフィクス」である出願と、
（ｖｉｉ  ）出願日１９９２年４月２９日のオーストラリア特許出願番号ＰＬ２１４９をもとに優先権を主張しており、発明の名称が「ベジュエールスプラインの二次元多項式フラグメントへの変換」である出願。
【０００２】
上記の全ては本出願人より出願されており、それぞれの出願の開示は関連出願の記述により、ここに組み込まれている。これらの明細書は、一般的にオブジェクトの二次元多項式フラグメント（ＱＰＦ）表示を使用して実時間オブジェクトベースのイメージが生成される装置について開示している。
【０００３】
【産業上の利用分野】
本発明はカラーレーザコピー器の為の表示グラフィックシステムに関するもので、特に、ビデオインタフェースを備えた従来のカラーレーザーコピー器に接続することが出来る表示グラフィックシステムを開示するものである。
【０００４】
【従来の説明】
１インチ当り４００ドット（４００ｄｐｉ）でＡ４サイズのフルカラーイメージを生成しプリントできるフルカラーデスクトップパブリッシングを作り出すカラー構成システムは、従来マウスとキーボードの様な様々な入力装置を援用してパーソナルコンピュータシステムを利用するものであった。このイメージは、普通、そのイメージがカラープリンターなどの関連する表示装置に、ラインを基準にラインで書き出される前に、フレームバッファーメモリ装置でピクセルを基準にしてピクセルの上に構成し記憶される。
【０００５】
例えば、４００ｄｐｉのＡ３のページサイズのイメージのために、４６３２ｘ６４８０ピクセルが記憶されなければならない。２４ビット表現される色がピクセル毎に記憶されると、全体で９０メガバイト以上の記憶容量を必要とする。
【０００６】
【発明が解決しようとする課題】
しかしながら、その様な膨大な記憶容量は、構成システムを格納するシステムのサイズを結果的に増大させることに加えて、そのようなフルカラー構成システムを設計すると、普通、非常に高価なものとなり、結果としてフルカラーシステムが普通の消費者市場で受け入れられるのを阻害していた。
【０００７】
本発明は上記従来例に鑑みてなされたもので、イメージをピクセルを基準にしてピクセル上に記憶する必要性を実質的になくすプリント装置を使用して簡便なイメージ構成システムであるカラーレーザコピー器の為の表示グラフィックシステムを提供することを目的としている。
【０００８】
【課題を解決するための手段】
上記目的を達成するために本発明のカラーレーザコピー器の為の表示グラフィックシステムは次のような構成からなる。即ち、カラーコピー器の為のグラフィックシステムに於て、オブジェクトイメージデータの入力と、前記オブジェクトイメージデータを選択し編集して編集されたイメージデータを生成する為にユーザが制御できる入力手段に接続されたホストプロセッサ手段と、前記の編集されたイメージデータを描写してイメージ信号を出力する為の実時間プロセッサー手段と、前記イメージ信号によって表示されたイメージをプリントする為に前記システムと前記コピー器とを相互に接続する交信手段と、ビデオ表示手段とを有し、前記実時間プロセッサ手段が前記ビデオ表示手段を駆動する為にビデオイメージ信号を生成し、前記ビデオ表示手段は前記ビデオイメージ信号を受信してそれに対応するビデオイメージを表示するようになっていることを特徴とするカラーレーザコピー器の為の表示グラフィックシステムを備える。
【０００９】
【実施例】
以下添付図面を参照して本発明のいくつかの実施例を詳細に説明する。
【００１０】
まず、図１を参照して説明する。図１は、表示システム１の形式をとった本発明の最初の実施態様を示している。この表示システムは、アドレスラッチ１４を経由してプロセッサバス３に接続しているホストプロセッサ２を具備している。また、プロセッサバス３には、システムＲＯＭ４、システムＲＡＭ５、シリアルコントローラ６、メモリーカードインタフェースソケット７、ＲＴＯプロセッサ１２とデュアルポートＲＡＭ８が接続している。
【００１１】
ホストプロセッサ２は、汎用のマイクロプロセッサで、オブジェクトベースのイメージの生成を制御する為に配置されてある。好ましい実施態様に於いて、ホストプロセッサ２は、ＩＮＴＥＬｉ９６０ＳＡのような３２ビットのマイクロプロセッサであり、安いコストで高速演算を実現し、広いアドレス領域を持っている。ホストプロセッサ２は、複数のオブジェクトリストを生成し保持する為に作動するが、このオブジェクトリストはシステムＲＡＭの中に格納され、最終的にはＲＴＯプロセッサ１２で処理されあるイメージを形成する複数のオブジェクトを包含する。イメージ生成の為の計算は、一般的に述べて、グラフィックオブジェクトレベルに於いて行われるだけである。生成される各々のイメージの為に、ホストプロセッサ２は、最終のイメージに現れる各々のオブジェクトの位置、サイズ、色を規定する。ホストプロセッサ２はまたシリアルコントロラ６と相互に作用しキーボード２０に至る。キーボードは、ユーザが表示システム１と、プリント動作の為のイメージを形成する為のグラフィックオブジェクトの選択も含めて指令と制御をする為に表示システムとインタフェースすることを可能にしている。シリアルコントローラ６はキーボード２０からのキーボードコマンドを解釈して、そのキーボードコマンドをプロセッサバス３を経由してホストプロセッサ２に転送する。
【００１２】
ホストプロセッサ２は、３２ビットアドレスバスで多重化された１６ビット外部データバスを具備しており、加えて、ホストプロセッサ２で提供される１６個の制御信号がある。最も重要な１６個のアドレスビット（ビット３１−１６）は多重化されないが、アドレスビット１５−４はアドレスラッチ１４で多重化解放される。ホストプロセッサ２はプロセッサバス３に二次的な制御をする一方で、ＲＴＯプロセッサ１２は、必要な時はいつでも、ＤＭＡを通してバスにアクセスすることができる。ただし、ホストプロセッサ２を制御するソフトウエアを通して特にロックアウトされた時は除く。
【００１３】
アドレスラッチ１４は、トライステートの性質を持っており、ホストプロセッサ２がバスを制御している時にのみ使用可能である。アドレスビット３、２、１はホストプロセッサ２によって直接多重化解放され、バーストアクセス中にラッチが遅れるのを避けている。バースト中、上位のアドレスビットとラッチされたアドレスビットは、アドレスビット３−１がカウントアップする間、静止している。ホストプロセッサバーストは１６バイトに制限されている。これらのバーストはバイトとハーフワードのアクセスのいくつかの組合せで起こる可能性がある。すべてのアドレスの復号は、上位の４つのアドレスライン（２５６Ｍｂｙｔｅの境界に整列されている）に基づいおり、そのため、１つのホストプロセッサのバーストは複数の装置にまたがることは出来ない。
【００１４】
ホストプロセッサ２の多重化されたデータバスは、ＲＴＯプロセッサ１２、システムＲＡＭ５、システムＲＯＭ４、シリアルコントロラ６とメモリーカードインタフェースソケット７を直接制御するために使われる。
【００１５】
プロセッサバス３の仲裁はホストプロセッサ２とＲＴＯプロセッサ１２の間で発生する。ホストプロセッサ２は、ＲＴＯプロセッサ１２が（ホストプロセッサ２によって）動作を開始するのを命令されるまでバスを支配している。
【００１６】
そこで、ＲＴＯプロセッサ１２はプロセッサバス３を制御し、それが終了した時、ホストプロセッサ２に通知する。ホストプロセッサ２は、ＲＴＯプロセッサ１２が動作するのを止める以外、ＲＴＯプロセッサ１２がプロセッサバス３を獲得するのを止めるメカニズムをもっていない。ＲＴＯプロセッサ１２は、一旦作動を開始すると、プリントや表示の為のオブジェクトリストを完ぺきに準備しようとし、一旦、プロセッサバス３を獲得すると、それを連続して使用することが出来る（もし、ＲＴＯプロセッサ１２が同時に描写している場合には、これは内部的にボトルネックの状態になり、再びプロセッサバス３を使用できるようになるまでプロセッサバス３を解放する。）複数のオブジェクトリストは１個のイメージを作り上げるために使用できるので、ＲＴＯプロセッサ１２がプロセッサバス３の支配権を異常に長く保持しないように、システムソフトウエアはこの方法を使用できる。
【００１７】
ホストプロセッサ２は、メモリマップＩ／Ｏを使用して、表示システム１の様々なその他の装置と交信する。プロセッサバス３の上位４ビットはプログラム可能なアレーロジックユニット（ＰＡＬ）（図示していない）で復号され、ホストプロセッサ２にとって必要なイネーブル信号とセレクト信号、リードとライトのスローブ信号と、バッファー制御信号とレディー信号のすべてを提供する。ホストプロセッサ２がバスを支配している時とＲＴＯプロセッサ１２がバスを支配している時、これらのロジックユニットは活動状態にある。
【００１８】
好ましくは、システムＲＯＭは、一般的には１個の２５６Ｋｘ１６の装置で提供される５１２キロバイトのＲＯＭを具備している。システムＲＯＭ４は、表示システム１の為の制御プログラムを具備しており、同様に、表示システムで使われるイメージとフォントとクリップタイトルとその他のデータの様々な例を具備している。ホストプロセッサ２とＲＴＯプロセッサ１２はシステムＲＯＭ４のメモリにアクセス出来、単一とバーストのアクセスがサポートされている。好ましくは、システムＲＯＭ４は、より大きいＲＯＭが容易に手に入るようになって時、それらが使用出来るように配線される。
【００１９】
好ましくは、システムＲＡＭ５は、２つの１２８Ｋｘ８の装置から成る２５６バイトのＲＡＭを具備している。システムＲＡＭ５は、ＱＰＦを包含するグルフィックオブジェクトのキャッシュと性能限界コードのキャッシュの為と、可変記憶装置としてホストプロセッサ２によって使用される。単一とバーストのアクセスは、バイトライトと同じ様に、サポートされている。好ましくは、システムＲＡＭ５も、より大きいＲＡＭが容易に手にはいるようになった時、それらが使用出来るように配線される。
【００２０】
標準化されたメモリカードを挿入する為に、メモリカードインタフェースソケット７が具備されている。通常は、これらのソケットは、ＪＥＩＤＡとＰＣＭＩＡ規格に合致するカードを使うように採用される。ＪＥＩＤＡ（日本電子工業開発協会）とＰＣＭＣＩＡ（ＰＣメモリカード国際機構）は６８ピンの互換性のあるメモリカードの使用に関する実質的に同じ規格を発表している。各々のメモリカード１５は、典型的に、オブジェクトグラフィックデータを組み込んだＲＯＭ装置として使用することが出来るが、バッテリーのバックアップを持つフラッシュＥＰＲＯＭまたはＳＲＡＭとすることも出来る。各々のメモリカード１５はグラフィックオブジェクト、オブジェクトエディットリスト、クリップタイトル、フォント、キャラクタ、アニメイションシークエンスとあるいは又システムＲＯＭ４の中でプログラムのすべて又は一部分を交換したり補う為に使用出来る特別なプログラムのライブラリを格納するのに使われる。ＳＲＡＭカードが使われる場合には、これらは後の使用の為にユーザイメージを記憶しておくのに使用することも出来る。好ましくは、メモリカードインターフェースソケット７は、カードが利用可能になった時、カードに増加した記憶容量を提供することが出来る。
【００２１】
好ましくは、メモリカードバス９はプロセッサバス３にアクセスするすべてのその他の装置から双方向のバッファ１０でバッファリングされる。これは、メモリカード１５が、いかなる段階でもプロセッサバス３のロジックレベルと干渉しないことを保証するためである。メモリカード１５はいかなる時も、ユーザによって挿入や取り外しが出来るので、いくつかのバスに関する問題は避けることが出来ない。メモリカードインタフェースソケット７の中のショートピンは、カードを取り外す少し前に割り込みを与えるために使用できる。カードを取り外した時、ＲＴＯプロセッサ１２がプロセッサバス３を支配している場合には、ホストプロセッサ２のソフトウエアの回復時間はＲＴＯプロセッサ１２の最大のバス保持によって減少する。メモリカードインタフェースソケット７は、それが存在すること、さもなければメモリカード１５を示すために挿入と取り外しの割り込みを発生させるショートカード検索ピンを具備している。信号はシリアルコントロラ６に送られて、そこで不正なメモリカードの取り外し、挿入を検出する為に使うことが出来る。検出されたメモリカード信号は、一般的な割り込みによってホストプロセッサ２にリレーされることが出来る。これによって、取り外しを考慮してホストプロセッサ２の現在の状態を更新するためにソフトウエアの事象を知らせることが可能になる。
【００２２】
挿入されたメモリカード１５の性質を決める為に、任意の属性メモリをメモリカード１５から読み込むことが出来る。この属性メモリは幅がわずか８ビットしかなく、下位のデータバスで読み込まれて、メモリカードのすでに決っているメモリアドレスでアクセスされる。これによって、表示システム１は異なった属性と速度のメモリカードと共同で使用することが可能ある。好ましくは、システムソフトウエアがメモリカードに問い合わせる為に具備されており、それの速度と任意の属性メモリに基づいて、どうすればＲＴＯプロセッサ１２とホストプロセッサ２が最良の状態で、安全にメモリカードにアクセスすることが出来るか決定する。
【００２３】
バッテリーのバックアップを持つＳＲＡＭタイプのメモリカード装置がサポートされている場合は、メモリカードソケット７は、シリアルコントローラに接続していて、バッテリーの状態が良いか悪いかを示すバッテリー状態信号を備えている。
【００２４】
好ましくは、シリアルコントロラー６はエクサー８２Ｃ６８４カート装置で実行されるが、この装置は４個のフルデュプレクスで非同期のシリアルチャネルと２個のタイマーと１６個の汎用入出力ポートを具備している。スリアルコントロラー６とプロセッサバス３の接続はわづか８ビットの幅しかなく、すべてのアクセスはプロセッサバス３の下位（偶数）のバイトにしか存在しない。シリアルコントロラー６の最初のシリアルコミュニケーションリンク２１は、キャノンＣＬＣ５００カラーレーザーコピー機２４のような出力装置と交信するために使われ、コピー装置を制御し状態情報を受け取る。二番目のシリアルコミュニケーションリンク２２は、システム制御ソフトウエアの処理と更新を実行した時、ホストプロセッサ２に問い合わせたり制御する手段を提供するＲＳ−２３２インタフェースとして使われる。
【００２５】
三番目のシリアルコミュニケーションリンク２３は、ユーザの要求、コマンド、選択、及び情報の対話形式の入力の為にキーボード２０と交信する為に使われる。
【００２６】
加えて、シリアルコントロラ６は、割り込みを通じてホストプロセッサと交信することが出来るタイマーの事象とシリアルコミュニケーションと特別なキーボードキーとメモリカードの挿入、取り外しの為に使われる。
【００２７】
ＲＴＯプロセッサ１２は、オブジェクトベースのグラフィックイメージの実時間描写の為にホストプロセッサ２によって設定され制御される。ＲＴＯプロセッサ１２の特別な例の完全な記述は同じ出願人によって１９９２年４月２９に出願されたオーストラリア特許出願Ｎｏ．ＰＬ２１４７に見られる。
【００２８】
ＲＴＯプロセッサ１２は、プロセッサバス３との干渉がなく、２５ｎｓのローカルのＱＰＦメモリ（４個の１２８Ｋｘ８ＲＡＭ）として実現されている専用のＱＰＦメモリ１６とインタフェースをもっている。これらのＲＡＭは常に使用可能な状態にあり、ＲＴＯプロセッサ１２は直接、リード、ライトのストローブ信号を駆動する。
【００２９】
一旦設定され開始すると、ＲＴＯプロセッサ１２はオブジェクトのリストをシステムＲＯＭ４かシステムＲＡＭ５かメモリカードからそのローカルのメモリに読み込み、オブジェクトを準備し、オブジェクトを描写し、８ビットデータワードを、出力装置の各々のピクセル毎に、ＲＴＯプロセッサレベル出力バス１７に出力すと、そのＲＴＯプロセッサレベル出力バスは、ピクセルで稼働中の最も上位の可視オブジェクトに望ましいレベルと効果を記述する。好ましいが、表示リストはオブジェクトアウトラインデータを包含しており、それは実時間でグラフィックイメージの計算を可能にする。そのようなデータの１つの例は二次元多項式フラグメントで、普通はシステムＲＡＭ５にキャッシュされるが、直接、システムＲＯＭ４またはメモリカード１５から読み込むことが出来る。
【００３０】
ＱＰＦの形で表示リストを読み込んだ後、ＲＴＯプロセッサ１２はＸ、Ｙ方向のそれぞれにＱＰＦオブジェクトをスケールし変換する。これにより、別の出力装置で起こる異なったピクセル局面率の為の補正と共に、圧縮と伸長の効果の実現が可能になる。
【００３１】
次に、スクリーンから完全に離れて変換されたかスケーリングされたＱＰＦは選び取られて、オブジェクトリストから取り払われる。あまり小さくて見えないＱＰＦも選び取られる。出力装置の境界を超えるＱＰＦもクリップされる。最初の処理の後、ＱＰＦは専用のＱＰＦメモリに格納される。一旦すべてのＱＰＦが専用のＱＰＦメモリに格納されると、各々のＱＰＦ中の最初のピクセルの各々の位置に関してライン順、次にピクセル順に分類さる。次に、すべてのＱＰＦを走査ラインとの交点が計算される。これはフレーム記憶を使用することなく実時間で行われる。ＱＰＦは交点の計算前に直線に平に伸ばされることはない。そのため、高倍率であっても、曲部は曲線に保存される。交点の計算の後に、オブジェクトの可視の順序が決定され、隠れた表面は取り除かれる。色彩領域は各々のＱＰＦの優先レベルを次の交点まで延ばすことにより埋められる。
【００３２】
透過と効果の計算はハードウエアで実時間データ率で行われる。この方法で、ＲＴＯプロセッサ１２は表示の為のピクセルデータをラスタディスプレーに出力するか同期してコピー装置にプリントし、レベル出力バス１７を経由して転送されたカラーレベルデータを構成する。
【００３３】
ＲＴＯプロセッサ１２がホストプロセッサ２に従属している時は、ホストプロセッサ２は、専用のＱＰＦメモリを読み込むことに加えて、ＲＴＯプロセッサ１２の制御レジスタを読み込むことが出来る。ＲＴＯプロセッサ１２の制御レジスターに対するアクセスはメモリマップ１／Ｏのテクニックで行われる。専用のＱＰＦメモリ１６にアクセスする為のベースアドレスは、立ち上がりの時ＲＴＯプロセッサ１２のレジスタにプログラムされる。ＲＴＯプロセッサ１２はそのレジスターまたは専用のＱＰＦメモリ１６に対するバーストアクセスまたはバイトライトをサポートしていない。
【００３４】
ＲＴＯプロセッサ１２がプロセッサバス３の制御下にある時、ＲＴＯプロセッサ１２は多重化解放されたアドレスとデータバスを直接駆動する。以前述べたように、ＲＴＯプロセッサは、ホストプロセッサ２からの通知とそれに続く援助によりプロセッサバス３の使用を要求する。
【００３５】
ＲＴＯプロセッサ１２はホストプロセッサ２に接続している割り込み出力信号を持っており、その装置の最優先の割り込み（ＩＮＴ０）を形成する。この割り込みは、動作の完了と内部エラー事象を含む多くの事象を示すために使うことが出来る。
【００３６】
ＲＴＯプロセッサ出力レベルバス１７の８ビットの内容はデュアルポートＲＡＭ８のアドレスを形成するのに使われ、このデュアルポートＲＡＭはＲＴＯプロセッサ１２とキャノンＣＬＣ５００の様なカラーコピー機２４の間のカラーパレットとして使われる。好ましくは、デュアルポートＲＡＭ８は、多くの分割されたパレット領域に分かれていて、それぞれのパレット領域は、前もって決められた数のラインがコピー機２４に印刷された後に選択される。コピー機２４は、４つのパスプロセスによって作動する。４つのカラーパスは、シアン、マゼンダ、黄色、黒（ＣＭＹＫ）を含む。そのため、パレット領域の交換はコピー機２４が各々のカラーパスを完了する時起こるようにタイミングをとることが出来る。デュアルポートＲＡＭ８の１つのポートは、ＲＴＯプロセッサ１２で選択された色をコピー機のインタフェースバッファ２５に出力する。
【００３７】
コピー機のインタフェースバッファ２５は、ピクセルクロック情報とコピー機可能信号とライン可能信号に加えて現在のピクセルカラーを出力するが、これらの信号はＲＴＯプロセッサ１２からのタイミングバス２６から、ＲＳ−４２２出力ドライバを経由して、特別なタイミング要件に従ってコピー機２４に得られたものである。コピー機２４がＣＬＣ５００の場合は、バッファ２５はそのコピー機のＩＰＵポートに出力する。デュアルポートＲＡＭ８の別のポートはプロセッサバス３に接続している。このポートは読みだし可能であり、書き込み可能でホストプロセッサ２からのバーストアクセスを許しており、ホストプロセッサはソフトウエア制御によってカラーパレット領域を変更するのにホストプロセッサ２によって使用可能である。それ故、カラーパレットはいかなる時にもホストプロセッサ２によって変更することが出来、それはコピー機２４がカラーパスに従事している間やコピー機２４が現在のカラーパスに従事している時も含む。
【００３８】
ＲＴＯプロセッサ出力レベルバス１７はビデオ同期装置を具備しているビデオ処理ユニット２７にも供給され、好ましくは、幅広い異なった同期波形とタイミングの領域を発生することが出来るプログラム可能なビデオ同期発生器である７４ＡＣＴ７１５ビデオ同期発生器によって実現される。ソフトウエア制御で動くホストプロセッサ２は、プロセッサバス３によって立ち上がる時、ビデオ同期ユニットをプログラムするように設計されており、ＴＦＴ  ＬＣＤディスプレー２８のような特別なビデオ装置によって、必要な時に、正確な同期タイミングとインタレース要素を出力する。インタレース要素はＲＴＯプロセッサ１２にも順方向で向いている。
【００３９】
ビデオ処理ユニット２７は、好ましくはバイポーラ技術、ＢＴ４７８ラムダック装置によって実現されるラムダック装置を具備しており、ラムダック装置はソフトウエアでプログラム可能であり２５６色のパレットを含んでいる。ラムダックは立ち上がり時または稼働時ホストプロセッサ２によってソフトウエアによりプログラム可能である。カラーパレットに加えて、ラムダックは１個のオーバレイパターンを持っていて、これはホストプロセッサ２によって前もってプログラム可能で、ＲＴＯプロセッサ１２がコピー機２４でイメージをプリントする為に使われている時、ビデオＴＦＴ  ＬＣＤディスプレー２８はカラーブランクにすることが出来る。ビデオ処理ユニット２７のラムダックはＲＴＯプロセッサ出力レベルバス１７の現在値を読み込み、これを２５６出力色のうちどれをビデオＴＦＴ  ＬＣＤディスプレー２８に出力するか決めるのに使う。出力は、垂直と水平同期情報とバックライトの明るさ制御情報に加えて、ＲＧＢアナログ出力フォーマットで行われる。
【００４０】
次に図２と図３を参照して説明する。本発明の好ましい実施態様が示されている。この実施態様は最初の実施態様に、構造上では似ており、対応する構成要素は同様に番号がふられている。それ以外の特徴は二番目のメモリカードユニット２９を包含しており、これは二番目のメモリカード３０とタッチパネル３１とダイアル制御装置３２とＲＧＢバンド記憶装置３７とＳＣＳＩ制御装置３３を同時に受け入れるように採用されている。加えて、カラー処理装置１３は図１のデュアルポートＲＡＭと取り替えられている。
【００４１】
二番目のメモリカードユニット２９はホストプロセッサ２でアクセスできるグラフィックオブジェクトのライブラリ、オブジェクトエディットリスト、クリップタイトル、フォント、アニメーションされたキャラクタなどのグラフィック材料の範囲を実質的に増加させるために使用され、それによって表示システム１の全体の利用は実質的に増加する。
【００４２】
透明なタッチパネル３１はメモリカードユニットまたはビデオＴＦＴ  ＬＣＤ２８のどちらかの上に具備されており、ユーザがイメージの生成で望むオブジェクトを選択するか特別なコマンドを実行する時の容易さを増加させている。タッチパネル３１は、タッチスクリーンの押すＸ−Ｙ位置を得る為とこの値をホストプロセッサ２に送る為のインタフェースユニット（不図示）を具備している。
【００４３】
ダイアル制御装置３２も具備されており、多数の異なったオブジェクトの中からビデオＴＦＴ  ＬＣＤディスプレー２８上で、望むオブジェクトを素早く選択することを可能にしており、その結果イメージ生成で形成されるオブジェクトの選択の効率を増加させている。
【００４４】
カラー処理ユニット１３は図１のデュアルポートＲＡＭ８の代わりに具備されている。カラー処理ユニット１３は、カラー処理ユニット１３の出力カラースペースの各々の単一のカラー構成要素の為のカラー生成と混合（ＣＧＭ）装置からなっている。カラー処理ユニット１３としてのＣＧＭ装置の作動のすべての記述とその構成は、この特許と同時に、同じ出願人によって提出され、発明の名称が「カラー生成と混合装置」であり、その開示が相互関連でなされたオーストラリア特許申請Ｎｏ．ＰＬ２１５２に述べられている。
【００４５】
カラー処理ユニット１３はＲＴＯプロセッサ１２から得られたカラー情報からＲＧＢカラー情報３４を生み出すことが出来る。ＲＧＢカラー情報３４はビデオＴＦＴ  ＬＣＤディスプレー２８上での表示に使用出来る。カラー処理ユニット１３はホストプロセッサ２によるコピー器２４の為のＣＹＭＫ出力を決めるために使用出来るが、ホストプロセッサはカラーコピー器の各々のパスが開始された時正確なカラー制御情報をロードし、プリンティングプロセスの終りでビデオＴＦＴ  ＬＣＤの為にＲＧＢ制御情報をリロードする。
【００４６】
加えて、所定の多くのバンドでイメージを印刷することが出来るインクジェットコピー器（例えば、キャノンＣＬＣ１０）の様な出力装置の他のフォームとインタフェースをとるオプションの機能も具備している。これは、ＲＧＢカラー情報をインクジェトコピー器３６の、ＲＧＢカラー情報をＳＣＳＩインタフェースに送るために使われているＳＣＳＩコントロラ３３に送る前にそれをＲＧＢバンド記憶装置３７に格納することによって達成出来る。
【００４７】
前記事項は本発明の特別な出力装置に関するわずか２つの実施例について述べたものである。当業者にとって明白な、この特許に関するその他の出力装置の使用やその他の改良は本発明の範囲を逸脱することなく行うことが可能である。
【００４８】
【発明の効果】
以上説明したように本発明によれば、簡便なイメージ構成システムであるカラーレーザコピー器の為の表示グラフィックシステムを提供することができるという効果がある。
【図面の簡単な説明】
【図１】本発明の第１の実施例に従うシステムの概略を示すブロック図である。
【図２】他の実施態様に従うシステムの概略を示すブロック図である。
【図３】他の実施態様に従うシステムの概略を示すブロック図である。
【符号の説明】
１  表示システム
２  ホストプロセッサ
３  プロセッサバス
４  システムＲＯＭ
５  システムＲＯＭ
６  シリアルコントローラ
７  メモリカードインタフェース
８  デュアルポートＲＡＭ
９  メモリカードバス
１０  バッファ
１２  ＲＴＯプロセッサ
１３  カラー処理装置
１４  アドレスラッチ
１５  メモリカード
１６  ＱＰＦメモリ
１７  レベル出力バス
２０  キーボード
【図１】
0003571735.tif 000002
【図２】
0003571735.tif 000003
【図３】
0003571735.tif 000004